(57)【要約】【課題】装置全体としての大型化を招くことなく、押出部材による蓋部材の押出量を増加できるようにした画像形成装置を提供する。【解決手段】画像形成装置は、開口部を有する筐体と、前記開口部を閉塞する閉塞位置と前記開口部を開放する開放位置との間で回動可能に設けられている蓋部材と、前記筐体に設けられ、前記閉塞位置にある前記蓋部材を前記開放位置側に押し出す押出部材と、前記蓋部材および前記押出部材の何れか一方に設けられ、前記蓋部材が前記押出部材によって押し出されるときにおける前記蓋部材の前記開放位置側への回動量を増加させるための回動量増加部と、前記蓋部材および前記押出部材の何れか他方に設けられ、前記蓋部材が前記閉塞位置にある状態で前記回動量増加部を収容する収容部と、を備えることを特徴とする。【選択図】図４
2020163710.tif 000002
【特許請求の範囲】
【請求項１】
開口部を有する筐体と、
前記開口部を閉塞する閉塞位置と前記開口部を開放する開放位置との間で回動可能に設けられている蓋部材と、
前記筐体に設けられ、前記閉塞位置にある前記蓋部材を前記開放位置側に押し出す押出部材と、
前記蓋部材および前記押出部材の何れか一方に設けられ、前記蓋部材が前記押出部材によって押し出されるときにおける前記蓋部材の前記開放位置側への回動量を増加させるための回動量増加部と、
前記蓋部材および前記押出部材の何れか他方に設けられ、前記蓋部材が前記閉塞位置にある状態で前記回動量増加部を収容する収容部と、
を備えることを特徴とする画像形成装置。
【請求項２】
前記回動量増加部および前記収容部の少なくとも何れか一方は傾斜部を有することを特徴とする請求項１に記載の画像形成装置。
【請求項３】
前記収容部は、前記押出部材の少なくとも一部に設けられていることを特徴とする請求項１または２に記載の画像形成装置。
【請求項４】
前記蓋部材が前記押出部材によって押し出されるときに、前記押出部材を前記回動量増加部に当接するように案内する案内部をさらに備えることを特徴とする請求項１から３の何れか１項に記載の画像形成装置。
【発明の詳細な説明】
【技術分野】
【０００１】
本開示は、筐体に設けられている開口部を開閉する蓋部材を備える画像形成装置に関する。
【背景技術】
【０００２】
例えば特許文献１に開示されている液体吐出装置のように、筐体に設けられている開口部を開閉する蓋部材を備える画像形成装置が提供されている。ユーザは、例えば筐体内部のインクカートリッジを交換する場合には、蓋部材を開いて筐体の開口部を開放状態とし、この開口部を介してインクカートリッジの交換を行う。
【先行技術文献】
【特許文献】
【０００３】
【特許文献１】特開２０１４−２４０１８６号公報
【発明の概要】
【発明が解決しようとする課題】
【０００４】
ところで、近年では、蓋部材として外蓋および内蓋を備えた画像形成装置が提供されている。そして、この画像形成装置において、内蓋は、いわゆるハートカム機構を有する押出部材によって、ユーザが内蓋を押し込み操作することに応じて、開放位置側に所定量押し出されるようになっている。これにより、筐体と内蓋の先端部との間に若干の隙間が形成され、使用者は、この隙間に指を差し込むことによって、さらに内蓋を開放位置側に開くことができるようになっている。
【０００５】
しかしながら、従来の画像形成装置では、押出部材による内蓋の押出量が小さく、従って、筐体と内蓋の先端部との間に形成される隙間も僅かなものとなっている。そのため、このような狭小な隙間に使用者の指を差し込むことは困難であり、使い勝手の悪いものとなっている。ここで、例えば押出部材のサイズを大きくすることにより、当該押出部材による内蓋の押出量を大きくして、筐体と内蓋の先端部との間に形成される隙間を大きくすることが考えられる。しかしながら、押出部材のサイズを大きくすると、その押出部材を収容するためのスペースも大きくしなければならなくなり、その結果、画像形成装置全体としての大型化を招いてしまう。
【０００６】
本開示は上記事情に鑑みてなされたものであり、その目的は、装置全体としての大型化を招くことなく、押出部材による蓋部材の押出量を増加できるようにした画像形成装置を提供することである。
【課題を解決するための手段】
【０００７】
本開示に係る画像形成装置は、開口部を有する筐体と、前記開口部を閉塞する閉塞位置と前記開口部を開放する開放位置との間で回動可能に設けられている蓋部材と、前記筐体に設けられ、前記閉塞位置にある前記蓋部材を前記開放位置側に押し出す押出部材と、前記蓋部材および前記押出部材の何れか一方に設けられ、前記蓋部材が前記押出部材によって押し出されるときにおける前記蓋部材の前記開放位置側への回動量を増加させるための回動量増加部と、前記蓋部材および前記押出部材の何れか他方に設けられ、前記蓋部材が前記閉塞位置にある状態で前記回動量増加部を収容する収容部と、を備えることを特徴とする。
【０００８】
本開示に係る画像形成装置によれば、蓋部材が押出部材によって押し出されるときにおける当該蓋部材の開放位置側への回動量を、回動量増加部により増加させることができる。よって、筐体と蓋部材の先端部との間に形成される隙間を大きくすることができ、その隙間に使用者の指を差し込みやすくすることができる。これにより、内蓋を開放位置側に開きやすい、使い勝手の良い画像形成装置を提供することができる。また、本開示に係る画像形成装置によれば、蓋部材が閉塞位置にある状態において、回動量増加部を収容部内に収容することができる。従って、回動量増加部を設けることに応じて画像形成装置全体としてのサイズを大型化する必要が無い。
【図面の簡単な説明】
【０００９】
【図１】本開示に係る画像形成装置の構成例を概略的に示すものであり、内蓋および外蓋が閉塞位置に回動している状態例を示す縦断側面図
【図２】本開示に係る画像形成装置の構成例を概略的に示すものであり、内蓋および外蓋が閉塞位置に回動している状態例を示す斜視図
【図３】本開示に係る画像形成装置の構成例を概略的に示すものであり、内蓋および外蓋が開放位置に回動している状態例を示す縦断側面図
【図４】本開示に係る画像形成装置の要部の構成例を概略的に示すものであり、内蓋が閉塞位置に回動している状態例を示す縦断側面図
【図５】本開示に係る画像形成装置の要部の構成例を概略的に示すものであり、内蓋が閉塞位置に回動している状態例を示す斜視図
【図６】本開示に係る画像形成装置の要部の構成例を概略的に示すものであり、内蓋が押出部材によって開放位置側に押し出された状態例を示す縦断側面図
【図７】本開示に係る画像形成装置の要部の構成例を概略的に示すものであり、内蓋が押出部材によって開放位置側に押し出された状態例を示す斜視図
【発明を実施するための形態】
【００１０】
以下、本開示の画像形成装置に係る一実施形態について、図面を参照しながら説明する。なお、本実施形態では、画像形成装置１自体から見て、上方を上、下方を下、前方を前、後方を後、左方を左、右方を右と定義する。画像形成装置１の前部には、例えば操作パネルなどが設けられる。画像形成装置１の操作時において、使用者は、専ら画像形成装置１の前側に存在すると想定される。図１及び図２に例示する画像形成装置１は、例えば、シートなどの対象物にインクを吐出することにより画像を形成する印刷装置であり、その外郭を構成するほぼ矩形箱状の筐体２の内部に、キャリッジ３などを備えている。キャリッジ３は、筐体２の内部に設けられている周知のキャリッジ移動機構により、この場合、筐体２の左右方向に沿って往復移動可能に設けられている。キャリッジ３には、インクカートリッジ４が着脱可能に取り付けられている。筐体２の上面には、開口部５が設けられている。開口部５は、筐体２の左右方向に沿って長い、ほぼ矩形状の開口となっている。
【００１１】
また、筐体２の上部には、開口部５を開閉する内蓋６が設けられている。内蓋６は、蓋部材の一例である。内蓋６は、この場合、開口部５の後端側において筐体２の左右方向に沿って直線状に延びる回動軸７を回動中心として上下方向に回動可能に設けられている。内蓋６は、図１に例示する閉塞位置と図３に例示する開放位置との間で回動可能に設けられている。閉塞位置は、内蓋６が開口部５を閉塞する位置であり、開放位置は、内蓋６が開口部５を大きく開放する位置である。
【００１２】
また、筐体２の上部には、内蓋６よりも外側に位置する外蓋８が設けられている。外蓋８は、この場合、筐体２の後端側において当該筐体２の左右方向に沿って直線状に延びる回動軸９を回動中心として上下方向に回動可能に設けられている。外蓋８は、図１に例示する閉塞位置と図３に例示する開放位置との間で回動可能に設けられている。閉塞位置は、外蓋８が内蓋６とともに開口部５を閉塞する位置であり、開放位置は、外蓋８が内蓋６とともに開口部５を大きく開放する位置である。
【００１３】
使用者は、内蓋６および外蓋８を何れも開放位置に回動させた状態で、開口部５を介して、例えばインクカートリッジ４の交換作業を行うことができる。そして、本開示に係る画像形成装置１は、開口部５を開放させる場合における使用者の利便性を向上するための創意工夫が施されている。以下、その構成例について詳細に説明する。
【００１４】
図４から図７に例示するように、筐体２の内部において開口部５の前側となる位置には、押出部材１０が設けられている。この場合、押出部材１０は、筐体２の左右方向のほぼ中央部に位置して設けられている。押出部材１０は、ほぼ矩形の長尺なブロック形状をなしており、押出部材ケース１１内において上下方向に移動可能に収容されている。押出部材ケース１１は、上下方向に長く、且つ、上部が開放した矩形の容器状をなしている。押出部材ケース１１内において、押出部材１０は、コイルばね１２によって上方側に付勢された状態となっている。また、押出部材ケース１１内において、押出部材１０は、コイルばね１３によって、この場合、筐体２の前方側に付勢された状態となっている。コイルばね１３は、案内部の一例である。
【００１５】
また、押出部材１０は、ハートカム部１４を有している。ハートカム部１４は、押出部材１０の一部、この場合、左側の側面に設けられている。ハートカム部１４は、周知のハートカム形状を適用したものであり、この場合、非押出時係止部１４ａおよび押出時係止部１４ｂを有している。
【００１６】
図４に例示するように、押出部材１０がコイルばね１２の付勢力に抗して押出部材ケース１１内に押し込まれた状態では、押出部材ケース１１内に設けられている係止ピン１１ａがハートカム部１４の非押出時係止部１４ａに係止する。これにより、押出部材１０は、その全体が押出部材ケース１１内に収容された非押出状態に維持される。
【００１７】
そして、図４に例示する非押出状態から、詳しくは後述する使用者の押し込み操作に応じて係止ピン１１ａが非押出時係止部１４ａに係止する係止状態が解除されると、押出部材１０がコイルばね１２の付勢力によって押出部材ケース１１内を上方に移動する。そして、図６に例示するように、押出部材１０がコイルばね１２の付勢力によって押出部材ケース１１から押し出された状態となる。この状態では、押出部材ケース１１内に設けられている係止ピン１１ａがハートカム部１４の押出時係止部１４ｂに係止する。これにより、押出部材１０は、その上端側が押出部材ケース１１内から上方に飛び出した押出状態に維持される。
【００１８】
一方、内蓋６には、突出部１５が設けられている。この場合、突出部１５は、内蓋６の先端部の左右方向のほぼ中央部の下面に位置して設けられている。また、突出部１５は、内蓋６が閉塞位置に回動している状態において、内蓋６の下面から下方に向かって直線状に突出する構成要素となっている。そして、この突出部１５の先端部、換言すれば、内蓋６が閉塞位置に回動している状態において下端部となる端部には、回動量増加部１６が設けられている。
【００１９】
この場合、回動量増加部１６は、突出部１５と一体的に設けられており、当接部１７および傾斜部１８を有している。当接部１７は、突出部１５の先端面と平行な平坦面となっており、この場合、内蓋６が閉塞位置に回動している状態において、回動量増加部１６の前部の下面を構成している。傾斜部１８は、当接部１７よりも回動軸７側、換言すれば、内蓋６が閉塞位置に回動している状態において後側となる部分に設けられている。傾斜部１８は、内蓋６が閉塞位置に回動している状態において、筐体２の前側から後側に向かって上昇するように傾斜する平面状の傾斜部となっている。
【００２０】
一方、押出部材１０には、収容部１９が設けられている。この場合、収容部１９は、押出部材１０の上端部の一部、この場合、前部を切り欠くようにして設けられており、傾斜部２０を有している。傾斜部２０は、回動量増加部１６の傾斜部１８の傾斜に対応して、筐体２の前側から後側に向かって上昇するように傾斜する平面状の傾斜部となっている。
【００２１】
また、押出部材１０の上端部には、収容部１９よりも回動軸７側、換言すれば、後側に位置して当接部２１が設けられている。当接部２１は、ほぼ矩形状の押出部材１０の上面の一部が残存することにより形成された平坦面となっている。
【００２２】
また、収容部１９は、押出部材１０の左右方向においてハートカム部１４が設けられている側には設けられていない構成となっている。即ち、押出部材１０は、その少なくとも一部に収容部１９を設けた構成となっており、この場合、画像形成装置１自体から見て、左側にハートカム部１４を有し、右側に収容部１９を有する構成となっている。
【００２３】
以上のように構成される画像形成装置１によれば、図４に例示するように、内蓋６が閉塞位置に回動している状態においては、内蓋６の突出部１５および回動量増加部１６によって押出部材１０が押出部材ケース１１内を下方に押し込まれる。これにより、押出部材１０は、非押出状態に維持される。そして、このとき、図５にも例示するように、内蓋６側の回動量増加部１６は、押出部材１０側の収容部１９内に収容される。
【００２４】
そして、この状態から、使用者が内蓋６の先端部を下方に押し込み操作すると、突出部１５および回動量増加部１６によって、押出部材１０は、押出部材ケース１１内をコイルばね１２の付勢力に抗して若干下方に押し込まれる。これにより、係止ピン１１ａが非押出時係止部１４ａに係止する係止状態が解除されて、押出部材１０は、コイルばね１２の付勢力によって押出部材ケース１１内を上方に移動する。
【００２５】
これにより、図６に例示するように、押出部材ケース１１内から上方に飛び出した押出部材１０の当接部２１が、内蓋６側の回動量増加部１６の当接部１７に当接するようになる。このとき、図７にも例示するように、回動量増加部１６の大きさの分、内蓋６が筐体２の上面から大きく開放するようになる。従って、筐体２と内蓋６の先端部との間に形成される隙間のサイズを大きくすることができる。
【００２６】
また、このとき、押出部材１０は、押出部材ケース１１内において、コイルばね１３の付勢力によって前方側に案内される。これにより、内蓋６の開放位置側への回動に伴い後側上方に移動する回動量増加部１６の当接部１７に対し、押出部材１０の当接部２１を前側に移動させることができる。よって、回動量増加部１６の当接部１７と押出部材１０の当接部２１とを相互に接近させて当接しやすくすることができる。
【００２７】
以上に説明した画像形成装置１によれば、内蓋６が押出部材１０によって押し出されるときにおける当該内蓋６の開放位置側への回動量を、回動量増加部１６により増加させることができる。よって、筐体２の上面と内蓋６の先端部との間に形成される隙間を大きくすることができ、その隙間に使用者の指を差し込みやすくすることができる。これにより、内蓋６を開放位置側に開きやすい、使い勝手の良い画像形成装置１を提供することができる。また、画像形成装置１によれば、内蓋６が閉塞位置にある状態においては、回動量増加部１６を収容部１９内に収容することができる。従って、回動量増加部１６を設けることに応じて筐体２のサイズを大型化する必要が無く、ひいては、画像形成装置１全体としてのサイズを大型化する必要が無い。
【００２８】
また、画像形成装置１によれば、回動量増加部１６は傾斜部１８を有し、収容部１９は傾斜部２０を有する。この構成によれば、内蓋６を閉塞位置に回動する場合においては、回動量増加部１６を収容部１９内に収容しやすくすることができ、内蓋６を開放位置に回動する場合においては、回動量増加部１６を収容部１９内から抜け出しやすくすることができる。よって、内蓋６の開閉を円滑に行うことができ、一層使い勝手の良い画像形成装置１を提供することができる。
【００２９】
また、画像形成装置１によれば、ハートカム部１４を有する押出部材１０に収容部１９を設けている。このような場合には、押出部材１０の少なくとも一部、つまり、ハートカム部１４に影響しない部位に収容部１９を設けるとよい。これにより、ハートカム部１４の機能を損なうことなく、収容部１９内に回動量増加部１６を収容できる構成、つまり、画像形成装置１全体としてのサイズを大型化する必要が無い構成を実現することができる。
【００３０】
また、画像形成装置１によれば、内蓋６が押出部材１０によって押し出されるときに、当該押出部材１０を、コイルばね１３によって回動量増加部１６に当接するように案内するように構成した。この構成によれば、回動量増加部１６の当接部１７と押出部材１０の当接部２１とを当接しやすくすることができ、使用者の指を差し込みやすい十分な大きさを有する隙間を形成しやすくすることができる。
【００３１】
なお、本開示は、上述した一実施形態に限定されるものではなく、その要旨を逸脱しない範囲で様々な変形あるいは拡張が可能である。例えば、画像形成装置１は、回動量増加部１６を突出部１５と別体に設けた構成としてもよい。また、画像形成装置１は、回動量増加部１６を押出部材１０側に設け、収容部１９を内蓋６側に設けた構成としてもよい。なお、回動量増加部１６を押出部材１０側に設けた構成では、押出部材１０の上端部から回動量増加部１６が突出した構成となることから、例えば使用者が開口部５を介してインクカートリッジ４を交換する際の妨げとなるおそれがある。そのため、回動量増加部１６は、内蓋６側に設けることが好ましい。
【００３２】
また、傾斜部１８の傾斜角度および傾斜部２０の傾斜角度は、適宜変更して実施することができる。また、傾斜部１８の傾斜角度と傾斜部２０の傾斜角度とを同じ傾斜角度としてもよいし、異なる傾斜角度としてもよい。また、傾斜部１８および傾斜部２０は、平面状の傾斜部に限られず、例えば、湾曲形状の傾斜部でもあってもよいし、平面状の傾斜面と湾曲状の傾斜面が混在する傾斜部であってもよいし、途中で傾斜角度が異なるように形成された傾斜部であってもよい。即ち、傾斜部１８および傾斜部２０の傾斜態様は、適宜変更して実施することができる。
【００３３】
また、画像形成装置１は、回動量増加部１６および収容部１９の少なくとも何れか一方のみに傾斜部を有する構成としてもよい。そのため、画像形成装置１は、例えば、回動量増加部１６は傾斜部１８を有する構成とし、収容部１９は矩形状の構成とするなど、回動量増加部１６および収容部１９の構成を適宜組み合わせて実施することができる。
【００３４】
また、案内部は、コイルばね１３に限られるものではなく、内蓋６の押出時において押出部材１０を回動量増加部１６に当接するように案内できる構成であれば、種々の構成を適用することができる。例えば、案内部は、押出部材ケース１１内に設けられた案内溝に沿って、押出部材１０に設けられた案内ピンを移動させることにより、押出部材１０を案内する構成としてもよい。または、案内部は、押出部材１０に設けられた案内溝に沿って、押出部材ケース１１内に設けられた案内ピンを移動させることにより、押出部材１０を案内する構成としてもよい。
【００３５】
また、押出部材１０は、筐体２の左右方向のほぼ中央部ではなく、その他の位置、例えば、筐体２の左端部あるいは右端部などに設けてもよい。即ち、押出部材１０の位置は、適宜変更して実施することができる。また、回動量増加部１６は、内蓋６の先端部の左右方向のほぼ中央部の下面ではなく、その他の位置、例えば、内蓋６の先端部の左端部の下面あるいは右端部の下面などに設けてもよい。即ち、回動量増加部１６の位置は、押出部材１０の位置に応じて、適宜変更して実施することができる。
【００３６】
また、ハートカム部１４は、押出部材１０の左面ではなく、例えば、右面、前面、後面などに設けてもよい。即ち、押出部材１０におけるハートカム部１４の位置は、適宜変更して実施することができる。このとき、ハートカム部１４は、収容部１９の位置、換言すれば、収容部１９に対向する回動量増加部１６の位置に応じて、これらと干渉しない位置に設けるとよい。
【００３７】
また、本開示に係る技術思想は、画像形成装置に限らず、筐体に設けられている開口部を開閉する蓋部材を備える装置であれば種々の装置に適用することができる。
【符号の説明】
【００３８】
１：画像形成装置、２：筐体、５：開口部、６：内蓋（蓋部材）、１０：押出部材、１３：コイルばね（案内部）、１６：回動量増加部、１８：傾斜部、１９：収容部、２０：傾斜部
【図１】
2020163710.tif 000003
【図２】
2020163710.tif 000004
【図３】
2020163710.tif 000005
【図４】
2020163710.tif 000006
【図５】
2020163710.tif 000007
【図６】
2020163710.tif 000008
【図７】
2020163710.tif 000009